【手続補正書】
【提出日】平成16年11月11日(2004.11.11)
【手続補正１】
【補正対象書類名】明細書
【補正対象項目名】全文
【補正方法】変更
【補正の内容】
【書類名】      明細書
【発明の名称】  移動関連情報を移動通信装置に供給するための方法、及び関連するシステム並びに装置
【特許請求の範囲】
【請求項１】
移動通信装置の位置を決めるステップと、前記移動通信装置の位置を示すと共に前記移動通信装置において開始される移動関連要求も示す少なくとも１つの信号を前記移動通信装置において得るステップとを有する前記移動関連情報を前記移動通信装置に供給する方法において、輸送サービスプロバイダから移動サービス情報を取り込むステップ、前記移動関連要求を満たすのに役立つ移動サービスの位置及び時間情報を計算することにより前記移動関連要求に応答するステップ、及び前記移動サービスの計算された前記位置及び時間情報の出力を前記移動通信装置において供給するステップを特徴とする方法。
【請求項２】
請求項１に記載の方法において、前記輸送サービスプロバイダから取り込まれる前記移動サービス情報は、前記移動サービスに関連するリアルタイムの情報を有する方法。
【請求項３】
前記移動通信装置の現在の位置から前記移動サービスと会うポイントへ移動するのに要する時間の長さを計算し、表示するステップを含む請求項１又は２に記載の方法。
【請求項４】
請求項１、２又は３に記載の方法において、前記移動通信装置の使用者は、前記移動サービスと会うのに適切な場所に到達するように、前記使用者の現在の場所を離れるときを前記移動通信装置において計算し、表示するステップを含む方法。
【請求項５】
複数のリマインダを供給するステップを含む請求項４に記載の方法。
【請求項６】
請求項２乃至５の何れか一項に記載の方法において、前記移動サービスと会うために移動するのに用いられる移動方式を確認する情報を前記移動通信装置において入力するステップを含む方法。
【請求項７】
請求項１乃至６の何れか一項に記載の方法において、前記移動サービスとの１つ以上の潜在的な待ち合わせポイントに到達しそうな潜在乗客の存在を前記移動サービスの専門者に知らせるステップを含む方法。
【請求項８】
移動通信装置を含み、前記移動通信装置に移動関連情報を供給するように配され、前記移動通信装置の位置を決める手段、前記移動通信装置の位置を示すと共に前記移動通信装置において開始される移動関連要求も示す少なくとも１つの信号を前記移動通信装置において得る手段を有する通信システムにおいて、輸送サービスプロバイダから移動サービス情報を取り込む手段、前記移動関連要求を満たすのに役立つ移動サービスの位置及び時間情報を計算する前記移動関連要求に応答する計算手段、及び前記移動サービスの計算された前記移動及び時間情報の出力を前記移動通信装置において供給する手段を特徴とする通信システム。
【請求項９】
請求項８に記載のシステムにおいて、前記輸送サービスプロバイダから取り込まれる前記移動サービス情報は、前記移動サービスに関連するリアルタイムの情報を有するシステム。
【請求項１０】
請求項８又は９に記載のシステムにおいて、前記移動サービスと会うために前記移動通信装置の現在の位置から移動するのに要する時間の長さを計算し、表示する手段を含むシステム。
【請求項１１】
請求項８、９又は１０に記載のシステムにおいて、前記移動通信装置の使用者は、前記移動サービスとの適当な待ち合わせポイントに到達するように、前記使用者の現在の位置を離れるときを前記移動通信装置において計算し、表示する手段を含むシステム。
【請求項１２】
請求項１１に記載のシステムにおいて、複数のリマインダを供給するように配されるシステム。
【請求項１３】
請求項９乃至１２の何れか一項に記載のシステムにおいて、前記移動サービスと会うポイントに移動するのに用いられる移動方式を確認する情報を入力するように配されるシステム。
【請求項１４】
請求項８乃至１３の何れか一項に記載のシステムにおいて、前記輸送サービスは、前記移動サービスとの１つ以上の潜在的な待ち合わせポイントに到達しそうな潜在乗客の存在に関する情報を受信するように配されるシステム。
【請求項１５】
移動通信装置から位置情報と移動関連情報の要求とを受信するように配され、前記受信された情報と輸送サービスプロバイダから起こる移動サービス情報とに基づき、前記移動関連要求を満たす移動するサービスの位置及び時間情報を計算するように配されるデータネットワーク用の通信端末。
【請求項１６】
請求項１５に記載の端末において、前記輸送プロバイダから取り込まれる前記移動サービス情報は、前記移動サービスに関連するリアルタイムの情報を有するように配される端末。
【請求項１７】
請求項１５又は１６に記載の端末において、前記移動サービスと会うために前記移動通信装置の前記位置から移動するのに要する時間の長さを計算し、表示する手段を含む端末。
【請求項１８】
請求項１５、１６又は１７に記載の端末において、前記移動通信装置の使用者は、前記移動サービスとの適当な待ち合わせポイントに到達するように、前記使用者の現在の位置を離れるときを前記移動通信装置において計算し、表示する手段を含む端末。
【請求項１９】
請求項１８に記載の端末において、複数のリマインダを示す手段を含む端末。
【請求項２０】
位置情報を計算し、移動関連情報を受信し、輸送サービスプロバイダから起こる移動サービス情報を受信するように配される移動通信装置において、前記受信された情報と、輸送サービスプロバイダから起こる前記移動サービス情報とに基づいて、前記移動関連要求を満たす移動サービスの位置及び時間情報を計算するように配されることを特徴とする移動通信装置。
【請求項２１】
請求項２０に記載の移動通信装置であり、リモートソースから前記移動通信装置へ落とされるソフトウェアを処理することに基づいて、前記移動サービスの前記位置及び時間情報を計算するように配される移動通信装置。
【発明の詳細な説明】
【０００１】
【発明の属する技術分野】
本発明は、移動関連情報を移動通信装置に供給する方法であって、この移動通信装置の位置を決め、この移動通信装置の位置を示すと共に移動関連要求も示す少なくとも１つの信号を移動通信装置で得るステップを有する方法に関する。
【０００２】
【従来の技術】
このようなシステムは、例えばネットワーク位置決めシステムに関する方法及び装置を開示し、ある実施において、例えばタクシーを要求するような命令機能に加え、位置及び時間に関するデータを送る移動端末の使用を可能にする国際特許出願第WO-A-99/63358号から既知である。この場合、例えばタクシー会社のような輸送サービスプロバイダは、予約の確認及び要求したタクシーが到着する前の予想される待ち時間を提供するデータを移動端末に応答して送ることができる。
【０００３】
しかしながら、このような既知のシステムは、予約及び見込みの到着時間を確認するようなデータの交換を単に提供する点で不利益に制限されている。このような情報は、如何なる場合においても電話で簡単にタクシーを発注するとき一般に利用可能であり、それがタクシー会社により提供される輸送サービスが使用者により楽しまれる効率を高めることはない。
【０００４】
広範囲の可能な輸送サービス、特に公共のバス及び電車の輸送サービスを考慮するとき、このような輸送の方式は、しばしば、これら輸送の大衆性により利用を厳しく制限してしまう欠点及び不利益を呈するものと考えられている。このような多くの欠点及び不利は、輸送サービスに関する不確実さと、例えばバス停又は電車の駅等の適当なピックアップポイントにおいて要求したサービスを待つのに費やされる無駄な時間に対し感じられる高い可能性とに関係して生じる。このシステムの潜在的利用者がこのサービスに関する詳細なタイムテーブル情報にアクセスしたとしても、このような情報はピックアップポイントに既に居る人、又は既知のピックアップポイントに関する使用者自身の位置の詳細な知識を持つ人にのみ最適である。
【０００５】
このような標準的なタイムテーブル情報は従って、おそらく最も近い輸送ピックアップポイントの知識を殆ど持たない若しくは全く持たない移動者にとって、又はサービスのある障害又は遅れの原因によって、この詳細なタイムテーブル情報がもはや正確ではない又は有効ではない状況において大きな助けとはならないことが分かる。その上、例えばバスのような陸上用車両で採用されるような輸送ルートは、輸送車両のリルートが標準的なタイムテーブル情報を不正確且つ無効にさせ得るように、無警告で、又は僅かな警告でしばしば変更される。
【０００６】
【発明が解決しようとする課題】
本発明は、移動関連情報を提供する方法、及び関連するシステム並びに装置であって、既知の上記方法、システム及び関連する装置に勝る利点を呈する方法、及び関連するシステム並びに装置を提供することを目指す。
【０００７】
【課題を解決するための手段】
本発明の１つの見地に従い、輸送サービスプロバイダから移動サービス情報を取り込むステップ、移動関連要求を満たすのに役立つ移動サービスの位置及び時間情報を計算し、移動通信装置においてこの移動サービスの位置及び時間情報を計算した結果の出力を提供することによって移動関連要求に応答するステップを特徴とする上部に規定された型式の方式を提供する。
【０００８】
本発明の他の見地に従い、移動通信装置を含み、この移動通信装置に移動関連情報を供給するように配される通信システムを供給し、この移動通信装置の位置を決める手段、この移動通信装置の位置を示すと共にこの移動通信装置において開始される移動関連情報も示す少なくとも１つの信号をこの移動通信装置で得る手段を有し、輸送サービスプロバイダから移動サービス情報を取り込む手段、及び移動関連要求を満たすのに役立つ移動サービスの位置及び時間情報を計算する移動関連要求に応答するための計算手段を含み、移動通信装置において潜在的に適した移動サービスの計算された位置及び時間情報を出力する出力手段を含むことが提供される。
【０００９】
本発明の方法及び関連するシステムは、使用者、すなわち移動通信装置の所有者の特定の位置に関係なく、本発明は、上記使用者に自分の位置、更には潜在的に適したピックアップポイントを確認する情報を受信することを可能にするのに対し、輸送サービスがピックアップポイントに到着する時間を確認することも可能である。使用者は、たとえ使用者が自分の現在の場所をよく分かっていなくても、ピックアップポイントへの使用者の初期移動を可能にするのに十分な情報で容易に示される一方、輸送サービスがピックアップポイントに到着するのに待たなければならない時間の長さに関する情報も示す。このような情報は、例えば、ピックアップポイントにおいて輸送サービスと会う前に、幾らか買い物をする又はあるリフレッシュを得ることが可能であるような、利用者が他のアクションを幾つか行うことができるかを決めるのに有用であることを証明している。例えば公共輸送システムと利用者との改善された相互作用がこれにより提供される。この公共輸送システムをより容易に且つ効果的に使用する場合、このような輸送のオプションは、一般大衆に大いにアピールすべきであり、そして公共輸送ネットワークの利用規模を増大させるのに有利に利用すべきである。
【００１０】
請求項２及び９の特徴は、如何なる理由であっても、この輸送サービスが輸送ルート又はスケジュールから外れ、輸送サービスのリアルタイムでのモニタリング及びこのようなモニタリングに応答する適切な情報の中継は、本発明が上述した利点を示すことを可能にする利点を有する。
【００１１】
請求項３及び１０の特徴は、移動通信装置の使用者は、如何なる場合であっても、ピックアップポイントにおいて移動サービスと会えるかに関する明瞭な表示を供給する更なる特徴を提供する。
【００１２】
請求項４及び１１の特徴は、移動通信装置の使用者が前記ピックアップポイントにおいて移動サービスと会えるような適時のやり方で到着するために、使用者が現在の位置を離れるときに関する簡単なプロンプトを備える、例えば公共の輸送ネットワークを用いる効率を更に改善する。
【００１３】
請求項５及び１２の特徴は、移動サービスと会うために、移動通信装置の使用者がピックアップポイントに到達するのに十分な時間を残しておくことを保証するようにすることが利点であり、請求項６及び１３の特徴は、ピックアップポイントに到達するために、上述の利点が、使用者が徒歩又はタクシーでの移動を採用する輸送方式を選択することをにより更に高められることを可能にする。
【００１４】
請求項７及び１４の特徴は、移動サービスの専門者、すなわちバスの運転手は、潜在顧客(potential customer)が特定のピックアップポイントにおいてサービスと会う傾向があることに気づかせるという本発明の効率を更に高める。更に、バスの運転手は潜在乗客の行こうとする行き先を確認する事前情報を提供される。
【００１５】
本発明の他の見地に従い、移動通信装置から位置情報及び移動関連情報の要求を受信するように配され、輸送サービスプロバイダから起こる受信された情報及び移動サービス情報に基づいてこの移動関連要求を満たす移動サービスの位置及び時間情報を計算するように配されるネットワーク用の通信端末を供給する。
【００１６】
上部に規定される方法及びシステムに従って実施される計算は、これにより例えばインターネットサービスプロバイダのような移動通信装置から離れたデータネットワークの端末において実施される。
【００１７】
本発明の他の見地に従い、位置情報を計算し、移動関連情報の要求を受信するように配され、更に輸送サービスプロバイダから起こる移動サービス情報を受信するようにも配され、これら受信された移動サービス情報と計算された位置情報とに基づいて、移動関連要求を満たすための移動サービスの位置及び時間情報を計算するように配される移動通信装置を提供する。
【００１８】
上述の方法及びシステムに従って要求される計算は、リモート端末からダウンロードされた制御データに基づいて前記計算を実行するように配される移動通信装置自身の中に設けられる。
【００１９】
理解されるように、本発明は、移動電話及び特にＧＰＳ可能移動電話の形式の移動通信装置を備える特定のアプリケーションであることが分かる。当然、代わりとして、移動通信装置の位置計算が移動電話ネットワークの基地局に基づく三角処理を用いて実施されることもできる。その上、本発明は、本発明に従って実施される計算が必要とされる如何なるルート連絡及び乗り換えを考慮できるような使用者の最終目的地に関する移動関連要求を使用者が書き入れることだけを必要とするように有利に適合する。
【００２０】
当然、移動通信装置で出力される情報は、この移動通信装置が接続される通信ネットワークの性質に応じて決められ、そして、インターネットサービスプロバイダに接続するように配される移動電話への簡単なＳＭＳテキストメッセージ又適切には完全なインターネットサービスメッセージを有する。
【００２１】
【発明の実施の形態】
本発明は、付随する図を参照し、実施例としてのみ、以下に詳細に記載される。
【００２２】
初めに図１を参照すると、バスの次のピックアップポイントであるバス停１６に対して移動しているバス１４によって表されるような移動サービスに関する情報を例えば移動電話１２のような移動通信装置が受信することを可能にするのに役立つ、本発明の実施例に従う通信システム１０が説明されている。この説明される実施例において、移動電話１２は、ＰＳＴＮ(Public Switched Telephone Network)２０に接続されるシステム制御器１８を使用する（図２において更に説明される）携帯電話ネットワークの中に置かれる。このＰＳＴＮ２０は、本実施例においてインターネット２２に接続され、これによりインターネットサービスプロバイダ２４にアクセスすることができる。この移動電話１２は、図１にはそのうちの３つ２８、３０、３２が示される一群のＧＰＳ衛星２６を有するＧＰＳシステムに基づく位置情報を計算することを可能にするＧＰＳ可能移動電話である。この移動電話１２は、当業者には公知の処理に従って一群の衛星２６から適当なコードシーケンスを含む位置信号を受信する。移動電話１２は従ってこの電話機の位置を示す出力信号を供給する機能を有し、この移動電話の使用者からの入力に応答し、移動関連要求を有する信号を出力するようにも配される。このような要求は、如何なる適切な形式の移動関連情報に対する要求とすることができ、特に使用者が移動したいと思う特定の移動先又は使用者が辿ることを望む特定の移動ルートを有する。説明される例において、この移動関連要求は、移動電話位置情報３６と一緒に携帯電話ネットワークのシステム制御器１８へ出力され、次いで、双方向データリンク３８を介してＰＳＴＮ２０へ送出される。この位置データ及び要求情報はその後、双方向データリンク４０を通ってインターネット２２及び他の双方向データリンク４２を介してインターネットサービスプロバイダ２４へ送出され、このインターネットサービスプロバイダ２４は、例えばバス又は電車サービスのような特定の輸送サービスに関する運用会社又は協力会社のような輸送サービスプロバイダに属する又は少なくとも関連している。
【００２３】
以下に更に記載されるように、インターネットサービスプロバイダ２４は、輸送サービスプロバイダにより提供される移動サービスの現在の状態を示す情報に基づいて、より重要なことには、移動電話１２から入力される位置情報に基づいて、この移動電話１２の使用者の要求に対する応答を計算するのに役立つ。
【００２４】
説明される実施例において、一般的な要求は、使用者を最終又は中間の目的地へ連れて行くことが可能な特定の移動サービスに対する適当なピックアップポイントをどの様に位置決めするかに関しての要求である。この要求は、移動サービスがピックアップポイントに到達する前に経過する時間がどのくらいであるかの応答も起こす。上述されるように、図１において説明された実施例において、移動サービスは、バスのルート上にある次のバス停１６に近づいているバス１４を有し、使用者の要求に対する答えは、インターネットサービスプロバイダ２４で現在利用可能な情報に基づいて計算される。この計算された回答は、移動電話１２すなわち使用者とバス停１６との距離Ｘ、及びバス１４がバス停１６に到着する前の時間Ｙを確認するのに役立つ。当然、バス停１６へのルートを確認するグラフィカルディスプレイも設けられた更なる機能は、移動電話１２内に容易に設けられる。本発明のこの実施例の更なる特徴に従って、使用者の要求に対する応答は、使用者をバス停１６へ移動させる時間の長さも計算する。このために、このシステムは、使用者が徒歩又は恐らくは自転車若しくはタクシーのような他の幾つかの移動方式によってバス停１６へ移動する傾向があるかを確認する追加の情報が使用者から入力されるようにも配されている。使用者は当然、バス停１６へのルート上で飲食物を得るのに十分な時間があるかを容易に決めることが可能であり、更に、乗客がバス停１６において予想されるべき事実にバス１４の運転手が気づくように、このシステムはバス１４に置かれる移動通信装置も備える。
【００２５】
図２を参照して、図１に記載のシステムの移動電話１２及びシステム制御１８が用いられる携帯電話ネットワークのより明瞭な説明が供給されている。
【００２６】
携帯電話ネットワークの地理的な配列が図２において概略的に示されている。このネットワークは、その内の７つＢＳ１−ＢＳ７が示され、それぞれ相互に間隔を空けた地理的な位置に置かれる複数の基地局ＢＳを有する。これら基地局の各々は、何れか１つのサイト又はサービスエリアにおいてトラッキングシステム制御器により動作する無線送信機及び受信機の全体を有する。これら基地局のそれぞれのサービスエリアＳＡ１−ＳＡ７は、示される全領域をひとまとめに覆うように、クロスハッチングで示されるように重複している。このシステムは更に、各基地局ＢＳ１−ＢＳ７への双方向通信リンクそれぞれＣＬ１−ＣＬ７を具備する図１の制御器のようなシステム制御器１８を有している。これらの通信リンクの各々は、例えば専用のリード線でもよい。システム制御器１８は更に、移動携帯電話１２と（図２に示されない）公衆電話ネットワーク２０の加入者との間に通信を可能にするこの公衆電話ネットワーク２０に接続されている。複数の移動携帯電話は当然、この電話ネットワーク内でサポートされ、これら移動携帯電話のうちの３つ１２Ａ−１２Ｃが示され、各々は全領域にわたり自由にローミングすることが可能であり、実際はその外側でも可能である。
【００２７】
図３を参照すると、移動携帯電話１２は、通信アンテナ４８と接続され、登録された基地局ＢＳ１と通信するための通信マイクロプロセッサ５０により制御される通信用送信機／受信機４６を含むように詳細に示される。この移動携帯電話ネットワーク内の双方向通信に対する上記電話機の設計は十分知られていて、ここでは更に詳しくは説明しない。
【００２８】
従来の構成要素に加え、この移動携帯電話１２は更に、ＧＰＳアンテナ５４に接続され、軌道に乗っているＧＰＳ衛星の一群から送信されるＧＰＳ拡張スペクトル信号を受信するためのＧＰＳマイクロプロセッサ５６により制御されるＧＰＳ受信機５２を有する。このＧＰＳ受信機５２は、アンテナ５４を介してNAVSTAR SPS GPS信号を受信し、ＯＯＢ(out of band)ＲＦ干渉、前置増幅、中間周波数（ＩＦ）への下方変換及びアナログ−デジタル変換を最小にするために、受動帯域フィルタリングを典型的に行うことによりこれら信号を前置処理する。結果生じる、デジタル化されたＩＦ信号は、変調されたままであり、使用可能な衛星からの情報全てを含み、これはＧＰＳマイクロプロセッサ５６のメモリに与えられる。ＧＰＳ信号は、擬似領域情報(pseudorange information)を得るために取得され、トラッキングされる。ＧＰＳ信号を取得及びトラッキングする上記方法は、十分知られていて、ここでは更なる説明は行わない。ＧＰＳマイクロプロセッサ５６は、通信用マイクロプロセッサ５０と同様に一般目的のマイクロプロセッサ形式又はGPS ASIC(application specific integrated circuit)に埋め込まれたマイクロプロセッサで実施されてもよい。このような処理の最終結果は、移動電話１２の位置、従って使用者の位置を含み及び示す信号を基地局ＢＳ１へ出力する。
【００２９】
移動電話１２のデータ入力装置の一部として、使用者が例えば所望の最終又は中間位置のような移動関連要求を入力可能なモジュール５８を備える。上記要求に関する信号は、その後、通信アンテナ４８を介して基地局ＢＳ１へ出力される。このように、本発明の説明される実施例に従って、前記移動電話は移動関連要求及び位置情報を有する少なくとも１つの信号を出力するように配される。
【００３０】
図１に戻って、移動電話１２から出力される信号は、ＰＳＴＮ２０、インターネット接続２２を介し、その後説明される例ではインターネットサービスプロバイダ２４へ発送されるシステム制御器１８へ送られる。このインターネットサービスプロバイダ２４は、移動電話１２から得られる、結合された移動関連要求及び位置情報を受信することに加え、輸送サービスプロバイダから移動関連情報に容易にアクセスすることも可能なウェブベースのアプリケーションを備えるように配される。実際には、ある実施例において、インターネットサービスプロバイダ２４は、輸送サービスプロバイダであるプロバイダ、すなわち輸送サービスプロバイダにより運営される。如何なる場合においても、インターネットサービスプロバイダ２４は、移動電話１２の現在分かっている位置情報と、使用者の移動関連要求を満たすとき、移動電話１２の使用者による使用に最適となるであろうバスサービス又は電車サービスのような特定の移動サービスの移動関連情報とに基づいて移動電話１２から生じる移動関連要求に対する応答を計算するのに役立つ。
【００３１】
例えば、この移動関連要求は、容易に最終目的地の識別となり、インターネットサービスプロバイダ２４はその後、使用者の現在の位置から輸送方式と最適に会わせる方法を移動電話で説明するように、使用者の要求を満たすのに最適である特定の輸送方式の計算を供給し、図１に説明される通信リンクを介してユーザに戻すことが可能である。すなわち、例えばバス停のような最も近いピックアップポイントに連れて行く方向の指示及びこのバス停においてバスの次の到着時間の指示も与えられる。バス停と会わせるために使用者の現在の位置からバス停へ移動するのに十分な時間が残っていることを保証するように、様々な追加のプロンプトが使用者に与えられる。
【００３２】
図４は、図１のインターネットサービスプロバイダ２４に設けられる機能を概略的に説明するのに役立つブロック図である。説明されるように、インターネットサービスプロバイダ２４は、双方向データリンク４２を介して信号を受信及び送信するように配され、移動電話１２から生じる移動関連情報及び位置情報を受信する受信機部分６０を含む。インターネットサービスプロバイダ２４は更に、受信機６０と一緒にプロセッサ６４に接続される例えばマップ記憶エリア２４を含む移動関連情報のデータベースと関連する。このプロセッサ６４は、主に移動電話１２から起こる位置情報に基づく移動関連要求と、データベース６２に保持される最新の既知の適切なデータとに対する応答を計算するのに役立つ。この結果は、双方向データリンク４２を介して搬送する出力接続６６と移動電話１２を介して使用者に戻される図１に記載のインターネット接続とを介してプロセッサ６４から出力される。
【００３３】
これにより明らかとなるように、本発明は、公共輸送システムの効率を改善するのに有利に役立つ位置決め技術の用途を提供する。この利点は、使用者が提供される輸送サービスを使用することができる最も効果的なやり方に関する十分且つ詳細な情報を使用者が提供されるような適切な輸送サービスを供給しようとするサービスプロバイダにおける移動端末の計算される位置による有用性から生じる。上記機能の特定例は、以下のようなステップで示される。
【００３４】
最初に、お店にいる使用者は、移動する要求を知らせ、適当なバスが１５分以内にこのお店のメイン扉を通るであろうことを示す応答を受信する（メッセージは、例えばバスの番号／色及び予想される到着時間並びに値段のような移動の他の詳細も示す）。
【００３５】
２番目に、この情報が与えられると、使用者はバスを待っている間、コーヒーショップでリフレッシュしようと決める。
【００３６】
３番目に、バスがお店のメイン扉に近づくにつれて、使用者はバスが近づいていることを示す"リマインダ"を受信する。
【００３７】
４番目に、使用者はバスが止まっているお店のメイン扉に移動する。
【００３８】
最後に、バスの運転手は、乗客の目的地の指示を既に受け取っていて、乗客を降ろす及び／又は乗客に降りることを思い出させる最適な場所に停まることができる。
【００３９】
本発明の上述の説明の全ては、本質的には単なる概要であり、本発明はこれら説明された実施例の詳細に制限されるものではないことは当然明白である。例えば、データベース６２は、ＲＯＭ及びＲＡＭ記憶装置の局部的な記憶装置の結合を用いて供給される、又は実際にはインターネットサービスプロバイダ２４から離れて、分離したウェブアプリケーションを用いてアクセスされてもよい。このやり方で、インターネットサービスプロバイダ２４は、利用可能な移動関連情報の選択を増大させ、使用者への最適な応答を供給する可能性を増大させるように、様々の異なる輸送プロバイダと有利に関連することが可能である。その上、移動電話１２の正確な位置は、移動電話１２自身では計算する必要は無いが、インターネットサービスプロバイダのプロセッサ又は移動電話ネットワークを用いて計算されることも可能である。同様に、一度、図１に説明されるインターネット接続から移動電話１２へダウンロードされる適当なソフトウェアを達成すると、移動電話１２は、使用者の移動関連要求に応答するのに役立つ局部的な計算を実施することを代わりに可能にする。
【図面の簡単な説明】
【図１】  本発明の実施例に従うシステムを説明する概略図である。
【図２】  本発明の実施例に従って採用した携帯電話ネットワークによる地理的配列の概略的表示である。
【図３】  本発明の説明される実施例に使用するような移動携帯電話の概略的表示である。
【図４】  本発明の説明される実施例に従い使用するために配されるインターネットサービスプロバイダのブロック図である。